(57)【要約】【課題】本発明は、感度調整時の困難さを抑制できる光電センサを提供することを目的とする。【解決手段】光電センサ１０は、投光手段２３０及び／または受光手段２３１を有する光学ユニット２００と、直方体状のケーシング１００と、設定値に基づいて感度パラメータを調整する感度パラメータ調整手段２３３と、を備える。投光手段２３０は、検出領域５内に検出光を発する。受光手段２３１は、検出領域５からの検出光を受ける。ケーシング１００の光透過窓１１０側とは異なる上平面１０５には、光透過窓１１０に近い順に、インジケータ３０３、感度受付部材３０１及び調整開始部材３０２が配置されている。感度受付部材３０１は、外部から感度パラメータの設定値の入力を受け付け、感度パラメータ調整手段２３３へ出力する。調整開始部材３０２は、感度パラメータの自動調整を開始するための部材である。インジケータ３０３は、検出対象物６を検出できるかを表示する。【選択図】図１
2015158999.tif 000002
【特許請求の範囲】
【請求項１】
検出領域内に存在する検出対象物を検出するための検出光を発する投光手段と、前記検出領域からの検出光を受ける受光手段と、のうち少なくとも一方を有する光学ユニットと、
直方体状であり、前記光学ユニットを収容するケーシングと、
感度パラメータ調整部と、
を備え、
前記ケーシングは、
前記投光手段からの検出光及び前記受光手段への検出光の少なくとも一方が通過する光通過部側の第１平面と、前記第１平面とは異なる第２平面とを有する複数の平面と、
外部から感度パラメータの設定値の入力を受け付け、前記感度パラメータ調整部へ出力する感度受付部材と、
感度パラメータの自動調整を開始するための調整開始部材と、
前記検出対象物の有無及び／又は前記検出対象物を安定的に検出できるかを表示するインジケータと、
を含み、
前記感度パラメータ調整部は、前記感度受付部材に入力された設定値となるように感度パラメータを調整し、
前記インジケータ、前記感度受付部材及び前記調整開始部材は、前記第２平面に設けられており、前記光通過部に近い側から、前記インジケータ、前記感度受付部材及び前記調整開始部材の順に配置されている、光電センサ。
【請求項２】
前記感度パラメータは、前記投光手段からの投光の強度、前記受光手段における受光量の増幅率及び前記受光手段における前記検出対象物の検出の有無を判断するための基準値である閾値の少なくとも１つによって調整される、請求項１に記載の光電センサ。
【請求項３】
前記ケーシングの複数の平面は、前記第１平面と対向する第３平面をさらに有し、
前記第２平面は、前記第１平面及び前記第３平面に交差しており、
前記第２平面には、前記第１平面側から前記インジケータ、前記感度受付部材及び前記調整開始部材が順に配置されている、請求項１に記載の光電センサ。
【請求項４】
前記第２平面は長方形状であり、前記第２平面の長手方向は、前記投光手段からの検出光及び前記受光手段への検出光の少なくとも一方の光軸に沿っている、請求項３に記載の光電センサ。
【請求項５】
前記感度受付部材は、工具が嵌合可能な嵌合部を含み、前記工具の操作により前記感度パラメータの設定が可能な回動部材である、請求項１に記載の光電センサ。
【請求項６】
前記調整開始部材は、押しボタンスイッチである、請求項１に記載の光電センサ。
【発明の詳細な説明】
【技術分野】
【０００１】
本発明は、光電センサに関する。
【背景技術】
【０００２】
光電センサには、例えば透過型、反射型及び回帰反射型などの様々なタイプの光電センサが存在する。透過型光電センサは、投光手段を備える投光器と、受光手段を備える受光器とが別体の筐体に設けられたセンサである。この投光器と受光器とを互いに対向させて配置し、投光器と受光器との間に検出対象物を配置する。反射型光電センサは、投光手段及び受光手段をともに１つの筐体内に備えるセンサである。反射型光電センサでは、投光手段からの光を検出対象物に照射し、検出対象物からの反射光を受光手段で受光する。回帰反射型光電センサもまた、投光手段及び受光手段をともに１つの筐体内に備えるセンサである。回帰反射型光電センサでは、回帰反射型光電センサと回帰反射部材との間に検出対象物を配置し、検出対象物及び回帰反射部材からの反射光を受光手段で受光する。
【０００３】
透過型光電センサの一例は特許文献１に開示されており、反射型光電センサの一例は特許文献２に開示されており、回帰反射型光電センサの一例は特許文献３に開示されている。
【０００４】
透過型光電センサ及び回帰反射型光電センサにおいては、投光手段が出射した光の光量に対して、受光手段が受光した光の光量の減衰量に基づいて検出対象物を検出する。具体的には、透過型光電センサ及び回帰反射型光電センサは、受光手段での受光量が所定の閾値より小さい場合に、検出対象物を検出する。反射型光電センサにおいては、投光手段が出射した光の光量に対して、受光手段が受光した光の光量の増加量に基づいて検出対象物を検出する。具体的には、反射型光電センサは、受光手段での受光量が所定の閾値より大きい場合に、検出対象物を検出する。
【０００５】
検出対象物を正確に検出するためには、検出対象物を検出するための感度を調整する必要がある。そのため、光電センサには感度を調整するための調整部材が設けられている。さらに、光電センサにはインジケータが設けられている。インジケータは、調整後の感度に基づいて検出対象物を検出可能か否かを、例えば光の点灯又は消灯によって報知する部材である。インジケータは、調整後の感度に基づいて、光電センサが検出領域内の検出対象物を検出した場合に例えば光を点灯する。具体的には、透過型光電センサ及び回帰反射型センサにおいては、受光手段での受光量が所定の閾値より小さくなった場合には、光電センサが検出対象物を検出したとしてインジケータは光を点灯する。また、反射型光電センサにおいては、受光手段での受光量が所定の閾値より大きくなった場合には、光電センサが検出対象物を検出したとしてインジケータは光を点灯する。一方、調整後の感度によっては、光電センサが検出領域内に検出対象物があることが検出できない場合にはインジケータは例えば光を点灯しない。使用者は、検出領域内の検出対象物を検出可能か否かを、インジケータの点灯又は消灯の状態を見て確認する。そして、使用者は確認の結果に基づいて調整部材により感度を調整する。
【先行技術文献】
【特許文献】
【０００６】
【特許文献１】特開２００２−３５０５５４号公報
【特許文献２】特開２０１３−２０６８３６号公報
【特許文献３】特許第４１５８８２８号公報
【発明の概要】
【発明が解決しようとする課題】
【０００７】
使用者は、調整部材を操作する場合には、光透過窓とは反対側に位置する。この場合、インジケータ及び調整部材の配置によっては、使用者がインジケータを確認するのが困難となる場合がある。例えば、インジケータと調整部材とが隣接して配置されている場合に調整部材を操作して感度の調整を行うと、調整部材を操作している手及び道具等によって使用者はインジケータの確認が困難となる。結果として、検出対象物が検出可能か否かの判断が行い難くなり、感度の調整が困難となる。
【０００８】
そこで、本発明は、感度の調整を容易にできる光電センサを提供することを目的とする。
【課題を解決するための手段】
【０００９】
本発明の一態様に係る光電センサは、投光手段と受光手段とのうち少なくとも一方を有する光学ユニットと、直方体状であり、光学ユニットを収容するケーシングと、感度パラメータ調整部と、を備える。投光手段は、検出領域内に存在する検出対象物を検出するための検出光を発する。受光手段は、検出領域からの検出光を受ける。ケーシングは、複数の平面と、感度受付部材と、調整開始部材と、インジケータとを含む。複数の平面には、投光手段からの検出光及び受光手段への検出光の少なくとも一方が通過する光通過部側の第１平面が含まれる。さらに、複数の平面には、第１平面とは異なる第２平面が含まれる。感度受付部材は、外部から感度パラメータの設定値の入力を受け付け、感度パラメータ調整部へ出力する。感度パラメータ調整部は、感度受付部材に入力された設定値となるように感度パラメータを調整する。調整開始部材は、感度パラメータの自動調整を開始するための部材である。インジケータは、検出対象物の有無及び／又は検出対象物を安定的に検出できるかを表示する。インジケータ、感度受付部材及び調整開始部材は、第２平面に設けられている。インジケータ、感度受付部材及び調整開始部材は、光通過部に近い側から、インジケータ、感度受付部材及び調整開始部材の順に配置されている。
【００１０】
光通過部に近い順に、インジケータ、感度受付部材及び調整開始部材が配置されている。ここで、使用者は、光通過部での光の通過を阻止しないように、光通過部以外の位置において光電センサを操作する。例えば、使用者は光通過部とは反対側から光電センサを操作する。よって、使用者に近い側から調整開始部材、感度受付部材及びインジケータの順に配置されている。つまり、使用者にとって、インジケータは、調整開始部材及び感度受付部材よりも遠い位置に配置されている。特に、調整開始部材とインジケータとの間に感度受付部材が設けられることで、調整開始部材とインジケータとが近接しない。言い換えれば、調整開始部材とインジケータとの間に、少なくとも感度受付部材が介在可能な程度の距離が設けられている。そのため、調整開始部材の操作の際に、インジケータが使用者の手及び道具等によって遮られない。これにより、調整開始部材を操作しながらもインジケータを容易に確認することができる。よって、検出対象物が検出可能か否かの判断が容易となり、感度の調整が容易となる。また、インジケータが光通過部側の先端に設けられることで、先端側のインジケータに視線を向けつつも同時に調整開始部材も視野内において確認することができる。よって、インジケータを確認しながらも調整開始部材の操作を行うことができる。
【００１１】
なお、光通過部は、光透過窓及びレンズの少なくとも１つを含む。光透過窓は例えば偏光フィルタが嵌め込まれる開口である。光透過窓は、光学ユニット及びケーシングの少なくとも１つに設けられる。レンズは、集光して光の広がりを抑える部材である。
【００１２】
なお、調整開始部材は、調整開始部材が操作されると、感度パラメータを所望の値に自動調整する。あるいは、調整開始部材は、調整開始部材が操作されると、感度受付部材での設定値に基づいて感度パラメータを調整してもよい。
【００１３】
好ましくは、感度パラメータは、投光手段からの投光の強度、受光手段における受光量の増幅率及び受光手段における検出対象物の検出の有無を判断するための基準となる閾値の少なくとも１つによって調整される。
【００１４】
感度は、光電センサが、大きさの小さい検出対象物を検出できるようにするなど、検出対象物をどの程度正確に検出できるかを示す指標である。感度パラメータは、感度を調整するためのパラメータである。感度パラメータは、例えば、投光手段からの投光の強度、受光手段における受光量の増幅率（ゲイン）及び閾値等の少なくとも１つである。閾値とは、受光手段において検出対象物の検出の有無を判断するための基準値である。
【００１５】
透過型光電センサにおいては、投光手段を備える投光器と受光手段を備える受光器とが別体の筐体に設けられている。反射型光電センサ及び回帰反射型光電センサにおいては、投光手段及び受光手段を１つの筐体内に備えるセンサである。感度受付部材は、透過型光電センサの場合、感度パラメータの設定値として、投光器の投光手段からの投光の強度の調整を受け付ける。また、反射型光電センサ及び回帰反射型光電センサの場合、感度受付部材は、感度パラメータの設定値として、投光手段からの投光の強度の調整を受け付ける。また、感度受付部材は、感度パラメータの設定値として、透過型光電センサの受光器、反射型光電センサ及び回帰反射型光電センサの受光手段における受光量の増幅率及び閾値の調整を受け付ける。
【００１６】
好ましくは、ケーシングの複数の平面は、第１平面と対向する第３平面をさらに有する。第２平面は、第１平面及び第３平面に交差している。第２平面には、第１平面側からインジケータ、感度受付部材及び調整開始部材が順に配置されている。
【００１７】
上記構成によれば、光通過部に近い順に、インジケータ、感度受付部材及び調整開始部材が配置されている。言い換えれば、使用者に近い側から調整開始部材、感度受付部材及びインジケータの順に配置されている。特に、調整開始部材とインジケータとの間に感度受付部材が設けられることで、調整開始部材とインジケータとが近接しない。言い換えれば、調整開始部材とインジケータとの間に、少なくとも感度受付部材が介在可能な程度の距離が設けられている。よって、調整開始部材の操作の際に、インジケータが使用者の手及び道具等によって遮られない。また、インジケータが光通過部側の先端に設けられることで、先端側のインジケータに視線を向けつつも同時に調整開始部材も視野内において確認することができる。よって、インジケータを確認しながらも調整開始部材の操作を行うことができる。このような構成の光電センサにより、感度の調整が容易となる。
【００１８】
好ましくは、第２平面は長方形状であり、第２平面の長手方向は、投光手段からの検出光及び受光手段への検出光の少なくとも一方の光軸に沿っている。
【００１９】
上記構成によれば、長方形状の第２平面の長手方向は投光手段からの検出光及び受光手段への検出光の少なくとも一方の光軸に沿っている。よって、第２平面の長手方向、つまり検出光の光軸に沿って、光通過部に近い順に、インジケータ、感度受付部材及び調整開始部材が順に設けられている。特に、調整開始部材とインジケータとの間に、少なくとも感度受付部材が介在可能な程度の距離が設けられている。そのため、調整開始部材の操作の際に、インジケータが使用者の手及び道具等によって遮られない。これにより、調整開始部材を操作しながらもインジケータを容易に確認することができる。よって、検出対象物が検出可能か否かの判断が容易となり、感度の調整が容易となる。
【００２０】
好ましくは、感度受付部材は、工具が嵌合可能な嵌合部を含み、工具の操作により感度パラメータの設定が可能な回動部材である。
【００２１】
上記構成によれば、感度受付部材は、工具により操作される回動部材である。よって、感度受付部材がインジケータと調整開始部材との間に配置されても、工具により容易に感度受付部材を操作可能である。
【００２２】
好ましくは、調整開始部材は、押しボタンスイッチである。
【００２３】
前述した通り、光通過部に近い順に、インジケータ、感度受付部材及び調整開始部材が配置されている。例えば、使用者は光通過部とは反対側から光電センサを操作する。よって、使用者に近い側から調整開始部材、感度受付部材及びインジケータの順に配置されている。つまり、調整開始部材は使用者に最も近接する位置に配置される。この調整開始部材が押しボタンスイッチであるため、使用者は容易に調整開始部材を操作することができる。
【発明の効果】
【００２４】
本発明によれば、感度の調整を容易にできる光電センサを提供することができる。
【図面の簡単な説明】
【００２５】
【図１】本発明に係る光電センサ１０を左上部からみた斜視図である。
【図２】本発明に係る光電センサ１０を左後部の下部からみた斜視図である。
【図３】本発明に係る光電センサ１０の分解斜視図である。
【図４】光学ユニット２００の全体構成の概略図である。
【図５】本発明に係る光電センサ１０を上側からみた上面図である。
【図６】光電センサ１０の機能構成を説明するためのブロック図である。
【発明を実施するための形態】
【００２６】
以下、図面を参照しながら、本発明の実施形態について説明する。なお、以下の実施形態は、本発明の具体例であって、本発明の技術的範囲を限定するものではない。
【００２７】
＜実施形態＞
光電センサには、透過型光電センサ、反射型光電センサ及び回帰反射型光電センサなどの様々なタイプの光電センサがある。以下では、回帰反射型光電センサのうち同軸回帰反射型の光電センサ１０を例に挙げて本発明を説明する。
【００２８】
［全体構成］
まずは実施形態に係る光電センサ１０の全体構成について説明する。図１は実施形態に係る光電センサ１０を左上方からみた斜視図である。図２は実施形態に係る光電センサ１０を左下後方からみた斜視図である。図３は実施形態に係る光電センサ１０の分解斜視図である。
【００２９】
光電センサ１０は、主として、ケーシング１００（図１）、光学ユニット２００（図３）、操作ユニット３００（図３）及びアダプタ４００（図３）を含む。以下に、ケーシング１００、光学ユニット２００、操作ユニット３００及びアダプタ４００それぞれの構成について説明する。
【００３０】
本実施形態において、光電センサ１０は例えば図１の状態で載置され使用されるものとする。つまり、操作ユニット３００が設けられたケーシング１００の上平面１０５が、光電センサ１０の上側となるように載置される。この場合、光電センサ１０の「前側」とは、光電センサ１０の光透過窓１１０から光が出射される方向である。光電センサ１０の「後側」とは、「前側」と反対の方向である。光電センサ１０の「上側」とは、操作ユニット３００が設けられるケーシング１００の上平面１０５に向かう方向である。光電センサ１０の「下側」とは、「上側」と反対の方向である。光電センサ１０の「左側」及び「右側」とは、光電センサ１０の「上側」及び「下側」が使用者の「上側」及び「下側」と一致している場合に基づいて次のように定義する。光電センサ１０の「左側」とは、光電センサ１０の光の出射方向、つまり「前側」に向いた使用者から光電センサ１０を見た左の方向である。光電センサ１０の「右側」とは、「左側」と反対の方向である。
【００３１】
［ケーシング１００］
ケーシング１００は、略直方体状の形状を有している。ケーシング１００は、樹脂によって形成されている。ただし、ケーシング１００は、樹脂に限らず、金属等の他の材料によって形成されてもよい。ケーシング１００は、前平面１０１（図１）、後平面１０２（図２）、左平面１０３（図２）、右平面１０４（図３）、上平面１０５（図１）、下平面１０６（図２）及びアダプタ取付部１０７（図２）を含む。
【００３２】
前平面１０１は、光が透過する光透過窓１１０側の平面である。後平面１０２は、前平面１０１と対向する平面であり、主に使用者が光電センサ１０を操作する際に使用者が対向する面である。上平面１０５は、操作ユニット３００が設けられる平面であり、主に光電センサ１０の使用時に上となる面である。下平面１０６は、上平面１０５に対向する平面である。アダプタ取付部１０７は、後平面１０２と下平面１０６との間に位置し、アダプタ４００が取り付けられる部分である。
【００３３】
前平面１０１、後平面１０２、上平面１０５及び下平面１０６はそれぞれ略長方形状の形状を有している。左平面１０３及び右平面１０４は、アダプタ４００が取り付けられる部分が切り欠かれた略五角形の形状を有している。左平面１０３及び右平面１０４は、前平面１０１よりも面積が大きい。
【００３４】
後平面１０２、左平面１０３、右平面１０４及び下平面１０６は連続的に連結して形成されている。すなわち、ケーシング１００は、後平面１０２と左平面１０３と右平面１０４と下平面１０６とを含むケーシング本体１００ａ（図３）を有する。ケーシング本体１００ａにおいて、後平面１０２と左平面１０３と右平面１０４と下平面１０６とは一体的に形成されている。
【００３５】
ケーシング本体１００ａは、前開口１００ａ−１を含む。前開口１００ａ−１は、光学ユニット２００の前方に位置する。前開口１００ａ−１は、光学ユニット２００を挿入可能な程度の大きさを有する。詳細には、図３においてケーシング本体１００ａを前面から見た前開口１００ａ−１は、光学ユニット２００の左右方向のいずれの断面よりも大きい。従って、光電センサ１０の組立時には、前開口１００ａ−１を通してケーシング本体１００ａの前方からケーシング本体１００ａ内に光学ユニット２００を挿入することができる。前平面１０１は、ケーシング本体１００ａと別体の部材である。前開口１００ａ−１は、前平面１０１によって封止される。
【００３６】
ケーシング本体１００ａは、上開口１００ａ−２を含む。上開口１００ａ−２は、光学ユニット２００の上方に位置する。上開口１００ａ−２の面積は、前開口１００ａ−１の面積よりも小さい。上平面１０５は、ケーシング本体１００ａと別体の部材である。上開口１００ａ−２は、上平面１０５によって封止される。
【００３７】
なお、ケーシング１００が「略直方体状」であるとは、上述したアダプタ取付部１０７を含む形状のように、厳密な直方体状と異なる形状であってもよいことを意味する。
【００３８】
［光学ユニット２００］
次に、光学ユニット２００の全体構成の概略について説明する。図４は、光学ユニット２００の全体構成の概略図である。
【００３９】
光学ユニット２００は、ケーシング１００に収容される。光学ユニット２００は、投光素子２０１、受光素子２０３、絞り２０５、ハーフミラー２０７、レンズ２０９、偏光フィルタ２１１及び全反射部２１３を含む。また、光学ユニット２００は、第１基板２１５、第２基板２１７、第３基板２１９を含む。また、光学ユニット２００は、図３に示すように、各種部材及び基板が取り付けられる第１部材２４１と、第２部材２４３とを含む。
【００４０】
第３基板２１９の板状面が右平面１０４に沿うように配置されている。第３基板２１９の後平面１０２側に例えば長尺状の接続部材２２１が配置されている。接続部材２２１の先端の接続端子２２１ａが第３基板２１９に接続されている。なお、接続部材２２１の他端はアダプタ４００に接続される。接続部材２２１は、第３基板２１９と電気的に接続可能な配線であり、例えば、コネクタ、ケーブル及びコードなどと称されるものが含まれる。本実施形態の光電センサ１０の場合、受光素子２０３が受信した信号に対しては、受光手段２３１等に含まれるアンプにより増幅などの信号処理が行われる。接続部材２２１は、信号処理が行われた信号を光電センサ１０の外部に送信するための部材である。
【００４１】
第１基板２１５は、上平面１０５に概ね平行に配置されている。第１基板２１５は、上平面１０５に対向している。第１基板２１５は、第３基板２１９に概ね垂直である。第１基板２１５は、後述の感度受付部材３０１及び調整開始部材３０２と電気的に接続されている。
【００４２】
第２基板２１７は、後平面１０２に概ね平行に配置されている。第２基板２１７は、後平面１０２に対向している。第２基板２１７は、第３基板２１９に概ね垂直である。第２基板２１７には、投光素子２０１及び受光素子２０３が設けられている。これら第１基板２１５、第２基板２１７及び第３基板２１９は互いに電気的に接続されている。よって、感度受付部材３０１及び調整開始部材３０２が操作されると、第１基板２１５及び第２基板２１７の回路素子により後述の感度パラメータが調整される。
【００４３】
投光素子２０１は、検出対象物６及び回帰反射部材２に出射する検出光Ａを発光する素子である。受光素子２０３は、検出対象物６及び回帰反射部材２から反射された戻り光Ｂを受光する素子である。投光素子２０１及び受光素子２０３は同一の第２基板２１７上に載置されている。また、投光素子２０１を制御する後述の投光回路２０２及び受光素子２０３を制御する後述の受光回路２０４もまた第２基板２１７上に設けられている。
【００４４】
絞り２０５は、投光素子２０１の前方に配置されている。言い換えれば、絞り２０５は、投光素子２０１からの検出光Ａの出射方向に配置されている。絞り２０５は開口２０５ａを有している。開口２０５ａは、投光素子２０１から出射された光のうち、概ね平行な光を選択的に通過させる。
【００４５】
ハーフミラー２０７は、絞り２０５を通過した投光素子２０１からの検出光Ａの一部を透過する。また、ハーフミラー２０７は、検出対象物６及び回帰反射部材２から反射され返って来た戻り光Ｂの一部を反射する。
【００４６】
レンズ２０９は、偏光フィルタ２１１の後方に配置されている。言い換えれば、レンズ２０９は、検出光Ａの出射方向とは反対方向に配置されている。レンズ２０９は、集光して光の広がりを抑える。
【００４７】
偏光フィルタ２１１は、前平面１０１に面して開口した光透過窓１１０に嵌め込まれており、透過する光の状態に応じて光を偏光させる。具体的には、図３に示すように、第１部材２４１の溝（図示せず）及び第２部材２４３の溝（図示せず）に偏光フィルタ２１１が嵌め込まれる。そして、第１部材２４１と第２部材２４３とが互いに嵌め合わされることで、偏光フィルタ２１１が光透過窓１１０に固定される。
【００４８】
全反射部２１３は、受光素子２０３に隣接して配置されている。全反射部２１３は、ハーフミラー２０７により反射された戻り光Ｂを全反射させ受光素子２０３に進行させる。
【００４９】
検出光Ａ及び戻り光Ｂの進行について順を追って説明する。投光素子２０１から出射された検出光Ａは、絞り２０５及びハーフミラー２０７を透過し、レンズ２０９により集光される。さらに、検出光Ａは、偏光フィルタ２１１により偏光され、検出対象物６に照射される。検出対象物６が透明体の場合には、検出対象物６により検出光Ａの一部が反射され、検出対象物６を透過した検出光Ａは回帰反射部材２により反射される。検出対象物６及び回帰反射部材２により反射された戻り光Ｂは、偏光フィルタ２１１及びレンズ２０９を通過する。さらに、戻り光Ｂは、ハーフミラー２０７及び全反射部２１３で反射されて受光素子２０３に進行する。受光素子２０３が受光する戻り光Ｂの光量が所定の閾値の以下となった場合、検出対象物６が検出される。
【００５０】
［操作ユニット３００］
次に、操作ユニット３００の全体構成について説明する。図５は実施形態に係る光電センサ１０を上方からみた上面図である。図６は光電センサ１０の機能構成を説明するためのブロック図である。
【００５１】
操作ユニット３００は、感度受付部材３０１、調整開始部材３０２及びインジケータ３０３を含む。感度受付部材３０１、調整開始部材３０２及びインジケータ３０３は、上平面１０５に取り付けられている。投光素子２０１からの検出光Ａの出射方向に沿って、調整開始部材３０２、感度受付部材３０１及びインジケータ３０３が順に配置されている。言い換えれば、光透過窓１１０に近い順に、インジケータ３０３、感度受付部材３０１及び調整開始部材３０２が順に配置されている。検出光Ａの出射方向は、上平面１０５の長手方向に沿っている。
【００５２】
感度受付部材３０１は、使用者から感度パラメータの設定値を受け付ける。調整開始部材３０２は、使用者から感度パラメータの設定開始の指示を受け付ける。よって、調整開始部材３０２が操作されると、感度受付部材３０１での設定値に基づいて感度パラメータの調整が開始される。インジケータ３０３は、設定された感度パラメータによって検出対象物６が検出可能か否かを表示する。以下に感度受付部材３０１、調整開始部材３０２及びインジケータ３０３における感度パラメータの調整機能についてについて詳しく説明する。
【００５３】
光電センサ１０は、感度パラメータの調整機能として、図６に示すように、投光手段２３０と、受光手段２３１と、判定手段２３２と、感度パラメータ調整手段２３３と、感度受付部材３０１と、調整開始部材３０２と、インジケータ３０３とを備える。
【００５４】
投光手段２３０は、検出領域５内に存在する検出対象物６を検出するための検出光Ａを発する。投光手段２３０は、上述した投光素子２０１と、投光素子２０１を駆動する投光回路２０２を含む。投光素子２０１は、例えば発光ダイオードであり、検出光Ａを発する。投光回路２０２は、例えば、投光素子２０１を流れる電流値を制御することによって、検出光Ａのパワーを調整することができる。投光素子２０１に対向して回帰反射部材２が配置される。投光素子２０１から出射された検出光Ａは、回帰反射部材２で反射して戻り光Ｂとなる。
【００５５】
受光手段２３１は、戻り光Ｂを受ける。受光手段２３１は、上述した受光素子２０３と、受光回路２０４とを含む。受光素子２０３は、例えば、フォトダイオードであり、戻り光Ｂの受光量に応じて出力信号を変化させる。受光回路２０４は、受光素子２０３からの出力信号を増幅し、Ａ／Ｄ変換した結果の出力信号値（以下、この出力信号値を受光信号値と呼ぶ）を判定手段２３２に出力する。
【００５６】
判定手段２３２は、受光信号値と閾値とを比較し、検出対象物６の有無を判定する。具体的には、検出対象物６が検出領域５内に存在しない場合、受光信号値は閾値を上回っている。しかし、検出対象物６が検出領域５内に存在すると、戻り光Ｂの受光量が減少するため、受光信号値が低下する。判定手段２３２は、受光信号値が閾値より小さくなると、検出対象物６が検出領域５内に存在すると判定する。判定手段２３２は、判定結果に基づく信号をインジケータ３０３に出力する。インジケータ３０３は、検出対象物６が検出領域５内に存在するとの信号を受け取ると、例えば光を点灯する。また、インジケータ３０３は、検出対象物６が検出領域５内に存在しないとの信号を受け取ると、例えば光を点灯しない。
【００５７】
感度受付部材３０１は、使用者からの操作に応じて感度パラメータの設定値を受け付ける。図３、図５に示すように、感度受付部材３０１は、ドーム（dome）状の部材であり、操作ユニット３００中央付近に設けられる。感度受付部材３０１は、その略中央部にプラスドライバー等の工具が挿入可能な嵌合部３０１ａを有し、回動可能な部材である。本実施形態において嵌合部３０１ａは、プラス（＋）状の形状を有している。ただし、嵌合部３０１ａは、マイナス（−）状などの他の形状であってもよい。
【００５８】
また、感度受付部材３０１は、指標部３０１ｂを有する。指標部３０１ｂは、例えばへこみによって形成されている。上平面１０５において感度設定部材３０１の周囲には、目盛り３０１ｃが設けられている。目盛り３０１ｃは感度パラメータの値を示す。指標部３０１ｂが指し示す目盛り３０１ｃの位置が感度パラメータの設定位置である。よって、使用者は、所望の感度パラメータとなるように、工具を嵌合部３０１ａに挿入して感度受付部材３０１を回転する。これにより、回転量、つまり回転角度に応じた所望の感度パラメータの設定値が設定される。例えば、感度受付部材３０１は可変抵抗に接続されており、回転量に応じて抵抗値が変化する。この抵抗値が感度パラメータの設定値に相当する。
【００５９】
ここで、感度は、光電センサ１０が、大きさの小さい検出対象物６を検出できるようにするなど、光電センサ１０が検出対象物６をどの程度正確に検出できるかを示す指標である。また、感度パラメータは、感度を調整するためのパラメータである。感度パラメータとしては、例えば、検出光Ａのパワー（投光強度）、受光手段２３１における受光量の増幅率（ゲイン）、及び受光手段２３１において検出対象物６の検出の有無を判断するための基準値である閾値の少なくとも１つが挙げられる。
【００６０】
感度パラメータにより検出光Ａの投光強度が設定される場合には、目盛り３０１ｃには例えば検出光Ａの投光強度の大きさが目盛り３０１ｃ毎に示されている。使用者が、指標部３０１ｂを所望の目盛り３０１ｃに位置付けることで、その目盛り３０１ｃが指し示す検出光Ａの投光強度が設定値となる。
【００６１】
また、感度パラメータにより受光手段２３１における受光量の増幅率が設定される場合には、目盛り３０１ｃには例えば増幅率の大きさが目盛り３０１ｃ毎に示されている。使用者が、指標部３０１ｂを所望の目盛り３０１ｃに位置付けることで、その目盛り３０１ｃが指し示す増幅率が設定値となる。
【００６２】
また、感度パラメータにより閾値が設定される場合には、目盛り３０１ｃには例えば閾値の大きさが目盛り３０１ｃ毎に示されている。使用者が、指標部３０１ｂを所望の目盛り３０１ｃに位置付けることで、その目盛り３０１ｃが指し示す閾値が設定値となる。
【００６３】
感度パラメータ調整手段２３３は、感度受付部材３０１から感度パラメータの設定値を受け付ける。感度パラメータ調整手段２３３は、感度受付部材３０１から入力された設定値となるように感度パラメータを調整する。具体的には、例えば前述のように感度受付部材３０１が可変抵抗に接続されている場合には、感度パラメータ調整手段２３３は抵抗値を感度パラメータの設定値として受け付ける。この設定値が検出光Ａのパワー（投光強度）を示す場合には、感度パラメータ調整手段２３３は、設定値に応じて投光回路２０２から投光素子２０１へ出力する電流値又はパルス幅を調整する。また、設定値が受光手段２３１における受光量の増幅率（ゲイン）を示す場合には、感度パラメータ調整手段２３３は、設定値に応じて受光手段２３１の増幅率（ゲイン）を調整する。また、設定値が受光手段２３１における閾値の場合には、感度パラメータ調整手段２３３は、設定値に応じて閾値を調整する。
【００６４】
調整開始部材３０２は、使用者が感度パラメータ調整手段２３３による調整を開始するときに、使用者から調整開始の指示を受け付ける。調整開始部材３０２は、例えば押し下げ式の押しボタンから形成されている。感度パラメータ調整手段２３３は、調整開始部材３０２が操作されると感度パラメータ調整動作を実行する。
【００６５】
インジケータ３０３は、検出対象物６を安定的に検出できるか否かを異なる点灯色によって指し示す。インジケータ３０３は、検出光Ａの出射方向に向けて突出する山型の部材である。インジケータ３０３は、動作表示灯３０３ａと、安定表示灯３０３ｂとを含む。動作表示灯３０３ａは、受光信号値がしきい値以上であるとき、もしくは、受光信号値がしきい値以下であるときのいずれか一方において点灯する。安定表示灯３０３ｂは、受光信号値がしきい値から十分離れており、外乱などによる誤検出もなく、検出対象物６を安定的に検出できる場合に点灯する。動作表示灯３０３ａ及び安定表示灯３０３ｂは、それぞれ異なる表示色の発光ダイオードである。
【００６６】
使用者は、感度パラメータを設定した後、検出領域５内に検出対象物６がある場合とない場合の両方において安定表示灯３０３ｂが点灯し、検出対象物６がある場合とない場合との一方において動作表示灯３０３ａが点灯し、他方において動作表示灯３０３ａが消灯していることを確認する。これによって、使用者は、感度受付部材３０１によって設定した感度パラメータが適切な値であるか判断することができる。
【００６７】
上述の通り、検出光Ａの出射方向に沿って、調整開始部材３０２、感度受付部材３０１及びインジケータ３０３が順に配置されている。つまり、光透過窓１１０に近い順に、インジケータ３０３、感度受付部材３０１及び調整開始部材３０２が順に配置されている。ここで、使用者は、光透過窓１１０での光の通過を阻止しないように、光透過窓１１０以外の位置において光電センサ１０を操作する。例えば、使用者は光透過窓１１０とは反対側から光電センサ１０を操作する。よって、使用者に近い側から調整開始部材３０２、感度受付部材３０１及びインジケータ３０３の順に配置されている。つまり、使用者にとって、インジケータ３０３は、調整開始部材３０２及び感度受付部材３０１よりも遠い位置に配置されている。特に、調整開始部材３０２とインジケータ３０３との間に感度受付部材３０１が設けられることで、調整開始部材３０２とインジケータ３０３とが近接しない。言い換えれば、調整開始部材３０２とインジケータ３０３との間に、少なくとも感度受付部材３０１が介在可能な程度の距離が設けられている。そのため、調整開始部材３０２の操作の際に、インジケータ３０３が使用者の手及び道具等によって遮られない。これにより、調整開始部材３０２を操作しながらもインジケータ３０３を容易に確認することができる。よって、検出対象物６が検出可能か否かの判断が容易となり、感度の調整が容易となる。また、インジケータ３０３が光透過窓１１０側の先端に設けられることで、先端側のインジケータ３０３に視線を向けつつも同時に調整開始部材３０２も視野内において確認することができる。よって、インジケータ３０３を確認しながら調整開始部材３０２の操作を行うことができる。
【００６８】
また、感度受付部材３０１及び調整開始部材３０２の両方が設けられている必要はなく、感度受付部材３０１のみであってもよい。そして、調整開始部材３０２のみの操作に応じて感度パラメータが調整されてもよい。
【００６９】
［アダプタ４００］
次に、アダプタ４００の全体構成の概略について説明する。図２に示すように、光電センサ１０には、光電センサ１０を他の機器に接続するためのアダプタ４００が取り付けられている。アダプタ４００は、後平面１０２と下平面１０６とが交差するアダプタ取付部１０７に取り付けられている。アダプタ４００は回動可能な部材である。例えば、アダプタ４００は、図２等に示すように、その延長方向が下平面１０６に沿う方向に取り付けることができる。また、アダプタ４００を回動することで、アダプタ４００の延長方向が後平面１０２に沿う方向に取り付けることも可能である。
【００７０】
＜その他変形例＞
（１）
上記実施形態では、同軸回帰反射型の光電センサ１０を例に挙げて説明した。しかし、本発明は、同軸回帰反射型の光電センサ１０以外の光電センサにも適用可能である。例えば、同軸以外の回帰反射型の光電センサ、透過型光電センサ及び反射型光電センサ等の光電センサにも適用可能である。また、これらの光電センサにおいても上記と同様の効果を得ることができる。
【００７１】
（２）上記実施形態では、光学ユニット２００の第１部材２４１及び第２部材２４３に光透過窓１１０が設けられている。しかし、光透過窓は、光学ユニット２００に設けられるのではなく、ケーシング１００の前平面１０１に設けられてもよい。このとき、光学ユニット２００には、前平面１０１の光透過窓に対応して開口が設けられている。この開口を介して、前平面１０１の光透過窓を通過する光を光学ユニット２００内部に取り込み、または外部に出射する。
【００７２】
（３）上記実施形態では、感度パラメータ調整手段２３３は、感度受付部材３０１での設定に基づいて感度パラメータを調整する。しかし、感度パラメータ調整手段２３３は、必ずしも感度受付部材３０１での設定に基づいて感度パラメータを調整する必要は無い。単に、感度パラメータ調整手段２３３は、感度パラメータ調整手段２３３が操作されると、感度パラメータを所望の値に自動調整してもよい。
【産業上の利用可能性】
【００７３】
本発明は、同軸回帰反射型の光電センサ、透過型光電センサ及び反射型光電センサ等の光電センサなどの種々の光電センサに適用可能である。
【符号の説明】
【００７４】
２          回帰反射部材
５          検出領域
６          検出対象物
１０        光電センサ
１００      ケーシング
１０１      前平面
１０２      後平面
１０３      左平面
１０４      右平面
１０５      上平面
１０６      下平面
１１０      光透過窓
２００      光学ユニット
２０１      投光素子
２０３      受光素子
２３０      投光手段
２３１      受光手段
２３２      判定手段
２３３      感度パラメータ調整手段
２４１      第１部材
２４３      第２部材
３００      操作ユニット
３０１      感度受付部材
３０２      調整開始部材
３０３      インジケータ
【図１】
2015158999.tif 000003
【図２】
2015158999.tif 000004
【図３】
2015158999.tif 000005
【図４】
2015158999.tif 000006
【図５】
2015158999.tif 000007
【図６】
2015158999.tif 000008